(57)【要約】      （修正有）【課題】上方向以外にも、使用状況に応じてティシュを多角度に引き出すことを可能とし、最後まで容易に取り出すことを可能としたティシュボックスを提供する。【解決手段】ティシュボックスを四角柱と三角柱に変形可能にする為の折り込み線と折り曲げ部を設けることによって、使用状況に応じてティシュボックスの形状を四角柱や三角柱に形成可能にし、ティシュを多角度に引き出すことを可能する。三角柱形成時に取り出し口の反対の辺に凸部を設けることによって、ティッシュの収納状態を安定させ、最後まで取り出し易くした。【選択図】図１
2018052525.tif 000002
【特許請求の範囲】
【請求項１】
四角柱と三角柱のどちらにも変形可能な折り込み線と折り曲げ部を設けたティッシュボックスであって、三角柱形成時に、ティシュ取り出し口の反対の辺に取り出し口方向に凸部を設けていることを特徴とするティッシュボックス。
【発明の詳細な説明】
【技術分野】
【０００１】
本発明は、ティシュボックスに関する。
【背景技術】
【０００２】
従来のティシュボックスは、形状が直方体であり、平地に置き、設置面に垂直方向にティシュを引き出し使用される。しかしながら、寝た状態など上方向以外にティシュを取り出そうとすると、容易に取り出すことが出来ないという問題があった。
【先行技術文献】
【特許文献】
【０００３】
【特許文献１】特開２０１０−２５４３１７号公報
【発明の概要】
【発明が解決しようとする課題】
【０００４】
直方体型のティシュボックスは、平面な場所に置き、設置面に対し垂直方向にティシュを引き出すには最適な形状となっているが、取り出し口を横に向け引き出そうとすると安定性に欠けており、安定性を増す為に側面を長くするとティシュを最後の一枚まで取り出すことが困難である。また、ティシュの収納状態は、取り出し口を上方向に向けていれば安定しているが、横向きにすると収納状態が崩れてしまう問題があった。
テュッシュボックスの引き出し方向を縦方向にも横方向に設置しても、ティッシュペーパーを最後まで安定した収納状態を保つことが出来、最後１枚まで容易に取り出せるティッシュボックスを提供する。
【課題を解決するための手段】
【０００５】
ティシュボックスの形状を四角柱と三角柱に形成出来る折り込み線と折り曲げ部と切り込み部また、三角柱形成時にティシュの収納状態を安定させる為の二重底を設けた。四角柱から三角柱に変化する時に取り出し口のある面の対面が、三角柱の一辺に変化するように折り込線を設けており、それに沿って折曲がる。また、変化時に同じ面に設けてある二重底が三角柱の一辺とは逆方向に折曲がりティシュを押し出す形になり、収納状態を安定させる。四角柱、三角柱の底辺部にある各柱面に接する折り曲げ部は、四角柱にも三角柱にも変化出来る形をしており、変化時にお互いにぶつからない様に重なり合い、補強、安定を保つ形をしている。折り曲げ部の２カ所に設けてある切り込み部は、四角柱、三角柱時に、他の折り込み部とはめ合い、形状の安定を保つ役割をする。
【０００６】
形状は、四角柱時の底辺部分は、正方形、長方形、台形になどに成形可能である。
三角柱時の底辺部分は、正三角形はもとより、あらゆる三角形に成形可能である。
四角柱の形状時の大きさは、それぞれの辺の長さが、
１０ｃｍ〜４０ｃｍｘ１０ｃｍ〜４０ｃｍｘ５ｃｍ〜２０ｃｍである。
三角柱の形状時の大きさは、それぞれの辺の長さが、  
四角面の辺が１０ｃｍ〜４０ｃｍｘ１０ｃｍ〜４０ｃｍであり、
三角面の辺が５ｃｍ〜４０ｃｍである。
材質は、紙又は、プラスチック製である。
収納紙数は、１００枚から５００枚である。
【発明の効果】
【０００７】
本発明は、ティシュを使用状況に応じてティシュボックスを四角柱にも三角柱にも変化出来ることで、ティッシュを水平方向にも垂直方向にも容易に引き出すことが出来、且つ転倒しない設置をすることが出来る。
二重底を設けることで三角柱形成時にはティシュがくの字形に変形する為、水平方向に最後まで簡単に取り出すことが出来る。
三角柱の形状に出来ることで、設置面が取り出し口面より狭い窪地に安定的に置くことを可能とした。
【図面の簡単な説明】
【０００８】
【図１】本発明の展開図である。
【図２】本発明の四角柱時の斜視図である。
【図３】本発明の四角柱と三角柱との変化時の斜視図である。
【図４】本発明の三角柱時の斜視図である。
【図５】本発明の四角柱時の断面図である。
【図６】本発明の三角柱時の断面図である。
【発明を実施するための形態】
【０００９】
本発明を実施例でもって説明する。
【実施例１】
【００１０】
本発明のティシュボックスは、図２、図４に示されているように、四角柱にも、三角柱にも変化出来る様に形成されている。
図１は、展開図である。
２ののりしろ部分を３ののりしろ部で止め付け、１２の二重底部分を４ののりしろ部で止め付ける。
６、７、８、９、１０を折り曲げ、四角柱、三角柱それぞれのティシュボックスを形成する。
【００１１】
四角柱形成時は、
１０を１５で折り込こみ、１４と１６で止め付け、折り込んだ１０の間に８と９が入り底辺を四角に形成し、補強とティシュ収納部の蓋の役目を成す。
ボックス底辺の表側に位置する６，７の折り込部は、切込み線１１によって１０と交差し、変形防止の役目を成す。
【００１２】
三角柱形成時は、
１０を１５で折り込こみ、１４と１６で止め付け、折り込んだ１０の間に８と９が入り、
底辺を三角に形成し、補強とティシュ収納部の蓋の役目を成す。
ボックスの表側に位置する６，７は、おのおのの切込み線１１で交差し、三角形の一部を形成し、変形防止とティシュ収納部の蓋の役目を成す。
【００１３】
図２は、四角柱形成時のティシュボックス斜視図である。
底辺部は、１５で折り込んだ１０の間に８と９が入り、６，７に設けた切込み線１１を１０に差し込んで四角柱の形状となる。
【００１４】
図５は、四角柱形成時のティシュボックス断面図である。ティシュボックスの底は、二重底になっていて、三角柱に変化する時に中心部が内側に折り曲がる様にわずかな膨らみをもたせてある。  
【００１５】
図３は、四角柱から三角柱に変化させる途中の斜視図である。
【００１６】
図４は、三角柱形成時のティシュボックス斜視図である。
【００１７】
底辺部は、１５で折り込んだ１０の間に８と９が入り、６，７に設けた１１の折り込み線を交互にはめ込むことによって三角柱に形成される。
【００１８】
図５は、三角柱形成時の断面図である。
ティシュの状態は、１２の二重になっている上げ底により取り出し口方向に押され、扇状に収納された状態となり、最後の一枚までスムーズの取り出しが可能である。
【符号の説明】
【００１９】
１本体
２本体形成接着部
３本体形成接着部
４二重底接着部
５ティシュ取り出し口
６底面折り曲げ部
７底面折り曲げ部
８底面折り曲げ部
９底面折り曲げ部
１０底面折り曲げ部
１１切り込み線
１２二重底
１３二重底折り込み線
１４折り込み部接着部
１５折り込み部折り込み線
１６折り込み部接着部
１７ティッシュペーパー
【図１】
2018052525.tif 000003
【図２】
2018052525.tif 000004
【図３】
2018052525.tif 000005
【図４】
2018052525.tif 000006
【図５】
2018052525.tif 000007
【図６】
2018052525.tif 000008
【手続補正書】
【提出日】平成29年2月13日(2017.2.13)
【手続補正１】
【補正対象書類名】特許請求の範囲
【補正対象項目名】全文
【補正方法】変更
【補正の内容】
【特許請求の範囲】
【請求項１】
四角柱と三角柱のどちらにも変形可能な折り込み線と折り曲げ部を設けたティッシュボックスであって、四角柱形成時にティッシュペーパー取り出し口の反対面に二重底を設けており、三角柱形成時においてその二重底がティッシュペーパー取り出し口を有する面を除く三角柱を形成する他の二面に、取り出し方向に凸部となることを特徴としているティッシュボックス。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
四角柱と三角柱のどちらにも変形可能な折り込み線と折り曲げ部を設けたティッシュボックスであって、四角柱形成時にティッシュペーパー取り出し口のある面に対面する面に二重底を設けており、三角柱形成時においてティッシュペーパー取り出し口を有する面を除く三角柱を形成する他の二面に、その二重底をティッシュペーパーの取り出し方向に凸部となるように設けたことを特徴としているティッシュボックス。